【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
時間的にスケーラブルなビデオデータを復号するための方法であって、前記ビデオデータは、複数のアクセスユニット（ＡＵ）を備え、各ＡＵは、前記それぞれのＡＵに関連付けられたシンタックス要素から導出されたＴｅｍｐｏｒａｌＩｄ変数を有し、前記複数のＡＵのうちの少なくとも１つは、０に等しいＴｅｍｐｏｒａｌＩｄを有し、および前記複数のＡＵのうちの少なくとも１つの他のＡＵが０よりも大きいＴｅｍｐｏｒａｌＩｄを有し、前記方法は、
前記複数のＡＵの第１のＡＵに関連付けられたバッファリング期間サプルメンタルエンハンスメント(supplemental enhancement)情報（ＳＥＩ）メッセージを復号することと、ここにおいて、前記第１のＡＵは０に等しいＴｅｍｐｏｒａｌＩｄを有する、
前記複数のＡＵの第２のＡＵに関連付けられたピクチャタイミングＳＥＩメッセージまたはサブピクチャタイミングＳＥＩメッセージのうちの１つを復号することと、
前記ピクチャタイミングＳＥＩメッセージまたはサブピクチャタイミングＳＥＩメッセージのうちの１つから、前記第２のＡＵ中の第１の復号ユニット（ＤＵ）のコード化ピクチャバッファ（ＣＰＢ）除去時間と、第２のＤＵのＣＰＢ除去時間との間の持続時間を復号することと、
前記復号された持続時間と前記バッファリング期間ＳＥＩメッセージに少なくとも部分的に基づいて、前記第１のＤＵの除去時間を決定することと、
前記除去時間に少なくとも部分的に基づいて、前記第１のＤＵのビデオデータを復号することとを備え、
ここにおいて、前記方法は、０よりも大きいＴｅｍｐｏｒａｌＩｄを有するＡＵに関連付けられたバッファリング期間ＳＥＩメッセージを復号することを含まない、
方法。
【請求項２】
前記第２のＤＵは、復号順序で、前記第１のＤＵの後であり、前記第１のＤＵと同じＡＵ中にある、請求項１に記載の方法。
【請求項３】
前記第２のＤＵは、復号順序で、前記第２のＡＵ中の前記第１のＤＵの直後であるか、または復号順序で、前記第２のＡＵ中の最後のＤＵである、請求項２に記載の方法。
【請求項４】
１つまたは複数のサブピクチャレベルＣＰＢパラメータを復号すること、ここにおいて、前記第１のＤＵの前記除去時間を決定することは、前記復号された持続時間および前記サブピクチャレベルＣＰＢパラメータに少なくとも部分的に基づいて、前記第１のＤＵの前記除去時間を決定することを備える、をさらに備える、請求項１に記載の方法。
【請求項５】
１つまたは複数のサブピクチャレベルＣＰＢパラメータを復号することは、
前記第１のＤＵに関連付けられたサブピクチャタイミングＳＥＩメッセージを復号することを備える、請求項４に記載の方法。
【請求項６】
前記第２のＤＵは、復号順序で、前記ＡＵ中の最後のＤＵであり、前記サブピクチャタイミングＳＥＩメッセージを復号することは、
前記サブピクチャタイミングＳＥＩメッセージ中の前記最後のＤＵの除去時間と前記第１のＤＵの前記除去時間との間の前記持続時間を復号することを備える、請求項５に記載の方法。
【請求項７】
ピクチャタイミングＳＥＩメッセージ中またはサブピクチャタイミングＳＥＩメッセージ中での前記サブピクチャレベルＣＰＢパラメータの存在を判断するためのシーケンスレベルフラグを復号することをさらに備える、請求項４に記載の方法。
【請求項８】
前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ビデオコーディングレイヤ（ＶＣＬ）ネットワークアブストラクションレイヤ（ＮＡＬ）ユニットを備える、請求項１に記載の方法。
【請求項９】
前記第１のＤＵが前記ＡＵであるかどうかを定義するシンタックス要素の値にかかわらず、アクセスユニットレベルとサブピクチャレベルの両方で、前記ＡＵについてのＣＰＢ到着時間およびＣＰＢ名目除去時間のうち少なくとも１つを導出することをさらに備える、請求項１に記載の方法。
【請求項１０】
時間的にスケーラブルなビデオデータを符号化する方法であって、前記ビデオデータは、複数のアクセスユニット（ＡＵ）を備え、各ＡＵは、前記それぞれのＡＵに関連付けられたシンタックス要素から導出されたＴｅｍｐｏｒａｌＩｄ変数を有し、前記複数のＡＵのうちの少なくとも１つは、０に等しいＴｅｍｐｏｒａｌＩｄを有し、および前記複数のＡＵのうちの少なくとも１つの他のＡＵが０よりも大きいＴｅｍｐｏｒａｌＩｄを有し、前記方法は、
前記複数のＡＵの第１のＡＵに関連付けられたバッファリング期間サプルメンタルエンハンスメント情報（ＳＥＩ）メッセージを符号化することと、ここにおいて、前記第１のＡＵは０に等しいＴｅｍｐｏｒａｌＩｄを有する、
前記複数のＡＵの第２のＡＵに関連付けられたピクチャタイミングＳＥＩメッセージまたはサブピクチャタイミングＳＥＩメッセージのうちの１つにおいて、前記第２のＡＵ中の第１の復号ユニット（ＤＵ）のコード化ピクチャバッファ（ＣＰＢ）除去時間と、第２のＤＵのＣＰＢ除去時間との間の持続時間を符号化することと、を備え
ここにおいて、前記方法は、０よりも大きいＴｅｍｐｏｒａｌＩｄを有するＡＵに関連付けられたバッファリング期間ＳＥＩメッセージを符号化することを含まない、
方法。
【請求項１１】
前記第２のＤＵは、復号順序で、前記第１のＤＵの後であり、前記第１のＤＵと同じＡＵ中にあり、
ここにおいて、より好適には、前記第２のＤＵは、復号順序で、前記第２のＡＵ中の前記第１のＤＵの直後であるか、または復号順序で、前記第２のＡＵ中の最後のＤＵである、請求項１０に記載の方法。
【請求項１２】
前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ビデオコーディングレイヤ（ＶＣＬ）ネットワークアブストラクションレイヤ（ＮＡＬ）ユニットを備える、請求項１０に記載の方法。
【請求項１３】
時間的にスケーラブルなビデオデータを復号するためのデバイスであって、前記ビデオデータは、複数のアクセスユニット（ＡＵ）を備え、各ＡＵは、前記それぞれのＡＵに関連付けられたシンタックス要素から導出されたＴｅｍｐｏｒａｌＩｄ変数を有し、前記複数のＡＵのうちの少なくとも１つは、０に等しいＴｅｍｐｏｒａｌＩｄを有し、および前記複数のＡＵのうちの少なくとも１つの他のＡＵが０よりも大きいＴｅｍｐｏｒａｌＩｄを有し、前記デバイスは、
前記複数のＡＵの第１のＡＵに関連付けられたバッファリング期間サプルメンタルエンハンスメント情報（ＳＥＩ）メッセージを復号するための手段と、ここにおいて、前記第１のＡＵは０に等しいＴｅｍｐｏｒａｌＩｄを有する、
前記複数のＡＵの第２のＡＵに関連付けられたピクチャタイミングＳＥＩメッセージまたはサブピクチャタイミングＳＥＩメッセージのうちの１つを復号するための手段と、
前記ピクチャタイミングＳＥＩメッセージまたはサブピクチャタイミングＳＥＩメッセージのうちの１つから、前記第２のＡＵ中の第１の復号ユニット（ＤＵ）のコード化ピクチャバッファ（ＣＰＢ）除去時間と、第２のＤＵのＣＰＢ除去時間との間の持続時間を復号するための手段と、
前記復号された持続時間と前記バッファリング期間ＳＥＩメッセージに少なくとも部分的に基づいて、前記第１のＤＵの除去時間を決定するための手段と、
前記除去時間に少なくとも部分的に基づいて、前記第１のＤＵのビデオデータを復号するための手段とを備え、
ここにおいて、前記デバイスは、０よりも大きいＴｅｍｐｏｒａｌＩｄを有するＡＵに関連付けられたバッファリング期間ＳＥＩメッセージを複号するための手段を含まない、
デバイス。
【請求項１４】
複数のアクセスユニット（ＡＵ）を備える時間的にスケーラブルなビデオデータを符号化するためのデバイスであって、各ＡＵは、前記それぞれのＡＵに関連付けられたシンタックス要素から導出されたＴｅｍｐｏｒａｌＩｄ変数を有し、前記複数のＡＵのうちの少なくとも１つは、０に等しいＴｅｍｐｏｒａｌＩｄを有し、および前記複数のＡＵのうちの少なくとも１つの他のＡＵが０よりも大きいＴｅｍｐｏｒａｌＩｄを有し、前記デバイスは、
前記複数のＡＵの第１のＡＵに関連付けられたバッファリング期間サプルメンタルエンハンスメント情報（ＳＥＩ）メッセージを符号化するための手段と、ここにおいて、前記第１のＡＵは０に等しいＴｅｍｐｏｒａｌＩｄを有する、
前記複数のＡＵの第２のＡＵに関連付けられたピクチャタイミングＳＥＩメッセージまたはサブピクチャタイミングＳＥＩメッセージのうちの１つにおいて、前記第２のＡＵ中の第１の復号ユニット（ＤＵ）のコード化ピクチャバッファ（ＣＰＢ）除去時間と、第２のＤＵのＣＰＢ除去時間との間の持続時間を符号化するための手段とを備え、
ここにおいて、前記デバイスは、０よりも大きいＴｅｍｐｏｒａｌＩｄを有するＡＵに関連付けられたバッファリング期間ＳＥＩメッセージを符号化するための手段を含まない、
デバイス。
【請求項１５】
実行されると、プロセッサに、請求項１から１２のうちのいずれかに従った方法を行わせる命令を記憶したコンピュータ可読記憶媒体。